(57)【要約】【課題】植木鉢において、開口上縁部にホットスタンプより施された装飾部が形成されている植木鉢を提供する。【解決手段】植木鉢１において、開口上縁部２にホットスタンプにより施された装飾部３を形成し、植木鉢１の開口上縁部２は側壁部４より分厚く形成され、その開口上縁部２にホットスタンプにより施された装飾部３を形成する。また、開口上縁部２の形状が略円形状又は略矩形状又は略多角形状で形成される。そして、この植木鉢１は、プラスチック材により形成される。【選択図】図１
0003151907.tif 000002
【実用新案登録請求の範囲】
【請求項１】
植木鉢において、開口上縁部にホットスタンプにより施された装飾部が形成されたことを特徴する植木鉢。
【請求項２】
前記植木鉢は、開口上縁部が側壁部より分厚く形成されていて、その開口上縁部にホットスタンプにより施された装飾部が形成されている請求項１記載の植木鉢。
【請求項３】
前記植木鉢は、開口上縁部の形状が略円形状又は略矩形状又は略多角形状で形成されていて、その開口上縁部にホットスタンプにより施された装飾部が形成されている請求項１又は２いずれか記載の植木鉢。
【請求項４】
前記植木鉢は、プラスチック材により形成され開口上縁部にホットスタンプにより施された装飾部が形成されている請求項１乃至３いずれか記載の植木鉢。
【請求項５】
前記植木鉢は、上段側壁部と下段側壁部との二重構造からなり、底部から連続して形成する下段側壁部の上端部より水平方向に張り出して上段側壁部が形成され、該上段側壁部の上端部に開口上縁部が形成され、該開口上縁部より水平方向に張り出して取っ手が形成され、該取っ手の上面にホットスタンプにより施された装飾部が形成されている請求項１乃至４いずれか記載の植木鉢。
【考案の詳細な説明】
【技術分野】
【０００１】
本考案は、植木鉢であって、開口上縁部にホットスタンプが施されて形成された植木鉢に関する。
【背景技術】
【０００２】
従来の植木鉢は、専用の金型で成形されていることが多く、形状に応じた金型が必要となり、かつ、成形形状のまま使用される等の理由から装飾効果に劣るという欠点を有していた。
【０００３】
しかし、現在、植木鉢の周壁に目印をつけたものや装飾効果を施すもの等が登場している。
【０００４】
現代においては、ガーデニングブームも相俟って一般の人でも自宅で植物を栽培することが多く、それらを展示及び配置するという観点からも植木鉢にも装飾効果を求める需要者も多いといえこれらニーズに適ったものといえる。
【０００５】
特許文献１に記載の植木鉢は、植木鉢の側壁面にオフセット印刷により図柄や文字等の加飾表示を施されたものが考案されている。
【先行技術文献】
【特許文献】
【０００６】
【特許文献１】特開平１１−２８９８７５公報
【考案の概要】
【考案が解決しようとする課題】
【０００７】
特許文献１においては、植木鉢側壁面にオフセット印刷により図柄や文字等の加飾表示を施されたものが提案されているが、当該印刷技法においては、インクを使用することになるため、溶剤を乾燥させる工程を経なければならずコスト高であるといえる。
【０００８】
また、インクを使用することから、限定的な色を採用するに留まり、飛躍的な装飾効果をもたらすためには限界があるといえる。
【０００９】
そして、図柄や文字等が側壁面に施されていることから、例えば、植木鉢カバーを装着させる場合には、その図柄等が隠れてしまうという欠点があるといえる。
【００１０】
そこで、本考案は、上述の課題を解決すべく創出されたもので、装飾部の形成が、飛躍的にコストダウンされ、かつ、装飾効果に優れた需要者及び取引者の購買時等において目印として作用する植木鉢の提供を目的としたものである。
【課題を解決するための手段】
【００１１】
植木鉢１において、開口上縁部２にホットスタンプにより施された装飾部３を形成したことにある。
【００１２】
植木鉢１は、開口上縁部が側壁部４より分厚くなるように形成したことにある。
【００１３】
そして、植木鉢１は、開口上縁部２の形状が平面略円形状又は略矩形状又は多角形状で形成されていて、その開口上縁部２にホットスタンプにより施された装飾部３を形成したことにある。
【００１４】
加えて、植木鉢１は、プラスチック材により形成され開口上縁部２にホットスタンプにより施された装飾部３を形成したことにある。
【００１５】
また、植木鉢は、上段側壁部７と下段側壁部８との二重構造からなり、底部５から連続して形成する下段側壁部８の上端部より水平方向に張り出して上段側壁部７が形成され、該上段側壁部７の上端部に開口上縁部２が形成され、該開口上縁部２より水平方向に張り出して取っ手６が形成され、該取っ手６の上面にホットスタンプにより施された装飾部３を形成したことにある。
【考案の効果】
【００１６】
請求項１の構成により、植木鉢において、開口上縁部にホットスタンプにより施された装飾部を形成したことにより、美感性ある装飾効果を発揮させ、需要者及び取引者の購買時等において目印として作用するものを形成することに成功した。
【００１７】
前記の通り、開口上縁部に装飾部を形成したことで、例えば、植木鉢カバーを装着しても、装飾部が隠れることはなく、その美感性は維持でき、かつ、目印としても作用することを可能とした。
【００１８】
尚、ホットスタンプを採用したことで、インクでは表現できない金属光沢を表現可能とし、より一層の装飾効果を創造可能とした。
【００１９】
加えて、ホットスタンプは、インク等と相違し、箔には溶剤がないため乾燥工程が不要となる。このことから通常の塗装に比し大幅なコストダウンにつなげることに成功した。
【００２０】
また、乾燥工程を省くことが可能となるため、環境にもやさしいエコ製品を形成可能とすることに成功した。
【００２１】
請求項２の構成により、開口上縁部が側壁部より分厚く形成されていることから、開口上縁部の幅が厚く、装飾を施しやすい。例えば、開口上縁部の幅に併せて装飾部の線を太くすることも、逆に細くすることも可能とする。
【００２２】
また、装飾部の線は、実線のみならず、破線でもよく、その他図柄や文字等の装飾表示も可能となりあらゆる装飾選択の幅を広げることに成功した。
【００２３】
請求項３の構成により、植木鉢の開口上縁部形状が略円形状でその開口上縁部にホットスタンプにより施された装飾部が形成されていることから、装飾部が需要者や取引者の目を引き、その装飾効果から店頭で販売される場合等には著しく市場性を向上させ付加価値の付いた植木鉢を形成することに成功した。
【００２４】
そして、その形状から植木鉢を互いに複数集合させ並べた時等に無駄なスペースなく、展示したり、配置したりすることを可能にすることで、集合された植木鉢全体として一つの美的装飾効果を創造することに成功した。
【００２５】
また、人目を引く美感性に優れた鑑賞用植木鉢を提供することに成功した。
【００２６】
請求項４の構成により、植木鉢は、プラスチック材により形成され開口上縁部にホットスタンプにより施された装飾部を形成したことから、コストダウンに成功し、装飾効果に優れ、誰でも軽くて運搬しやすい植木鉢を提供することに成功した。
【００２７】
請求項５の構成により、植木鉢は、上段側壁部と下段側壁部との二重構造から形成され、底部から連続して形成する下段側壁部の上端部より水平方向に張り出して上段側壁部が形成され、該上段側壁部の上端部に開口上縁部が形成され、該開口上縁部より水平方向に張り出して形成され、該開口上縁部より水平方向に取っ手が形成されていることから、単なる植木鉢としての外観だけなく、形状的に動きがあり、目を惹く美的装飾に優れた外観を創造することに成功した。
【図面の簡単な説明】
【００２８】
【図１】本考案の植木鉢を示す斜視図である。
【図２】本考案の一実施例示す要部側断面図である。
【図３】本考案の他の実施例示す要部側断面図である。
【図４】本考案の装飾部の一実施例を示す平面図である。
【図５】本考案の装飾部の他の実施例を示す平面図である。
【図６】本考案の装飾部の他の実施例を示す平面図である。
【考案を実施するための形態】
【００２９】
本考案である植木鉢は、開口上縁部にホットスタンプにより施された装飾部が形成されることで当初の目的を達成する。
【実施例】
【００３０】
次に、図面に基づいて本考案の実施例を詳細に説明する。本考案植木鉢１は、開口上縁部２にホットスタンプにより施された装飾部３を形成する。
【００３１】
そして、この装飾部３に施す装飾は、実線や破線の線状、あるいは、図柄や文字、装飾表示等、任意の装飾を選択することができる。
【００３２】
また、植木鉢１は、開口上縁部２が側壁部４より分厚く形成されており、これにより開口上縁部２の幅が厚く、装飾を施しやすくなり開口上縁部２の幅に併せて装飾部の線を太くすることも、逆に細くすることも可能となる。また、図柄や文字、装飾表示等も表示可能である。
【００３３】
ここで、ホットスタンプとは、オフセット印刷と相違し、インクを使用せず、一般に箔と呼ばれる金属を蒸着した顔料を塗布したフィルムを使用する印刷技術をいう。箔の表面に接着層がありこの接着剤が加熱された版等が接触することで活性化し、圧力を加えることで顔料ともに製品に転写される仕組みである（図示せず）。
【００３４】
そのため、箔には溶剤がないため乾燥工程が不要となり、コストダウンにつながる。また環境にやさしいエコ製品を形成することを可能とする。
【００３５】
そして、ホットスタンプとオフセット印刷の最大の違いは、インクで表現できない金属光沢を表現できることにある。これにより装飾の選択幅が広がり、人目を惹く美観的装飾物を創造可能とする。
【００３６】
そして、その開口上縁部２にホットスタンプにより施された装飾部３が形成され、側壁面に装飾が施されているのとは相違し、植木鉢カバーを装着した場合でも装飾が現れ易くなり、人目を惹く美観的な装飾部３が形成される（図示せず）。
【００３７】
尚、開口上縁部２には取っ手６が形成されるものでもよく、例えば、それを形成することで各々植木鉢１を重ねた時に取り出しやすくすることを可能とする。取っ手６が形成された場合、取っ手６の上面に位置する開口上縁部２に装飾部３が形成されるので、比較的広範囲に装飾を施すことができる。
【００３８】
植木鉢１は、平面で見た場合にその開口上縁部２の形状が略円形状又は略矩形状又は略多角形状で形成されている。
【００３９】
尚、この開口上縁部２の形状が、略円形状で形成された場合、この円形状は、楕円形状でもよいし、真円状でもよい。
【００４０】
また、この開口上縁部２の形状が、略矩形状で形成された場合、この矩形状は、ひし形状、長方形状、正方形状などから任意に選択することができる。
【００４１】
そして、開口上縁部２の形状が、略多角形状で形成された場合、この多角形状は、三角形状、五角形状、六角形状等でもよい。
【００４２】
植木鉢本体の開口部２の直径や幅の広狭は特に限定されるものではない。また、植木鉢１本体の植木鉢１自体の深さにおいても適宜設定される。さらに、植木鉢１は、排水孔を形成するものであってもよいし、形成しないものでもよい。排水孔が形成される場合、その配置は底部５に形成したものでもよいし、側壁部４に形成したものでもよい。加えて、排水孔の形成数は、１箇所だけで形成するものでもよいし、複数個形成するものでよい。
【００４３】
また、植木鉢１は、プラスチック材により形成され開口上縁部２にホットスタンプにより施された装飾部３が形成される。このプラスチック材は他の材質と比べて最も安価にして且つホットスタンプとの相性がよいことから、見栄えのよい装飾を安価に提供することができる。
【００４４】
尚、この植木鉢１は、木材や陶器、アルミ材等からも形成可能であり、前述同様に開口上縁部２にホットスタンプにより施された装飾部３を形成する。
【００４５】
そして、この植木鉢１は、上段側壁部７と下段側壁部８から形成され、上段側壁部７は、下段側壁部８の上端部より水平方向に張り出して形成される。尚、底部５には、底部５より直径が小さい底中心円部が開口上縁部２方向に盛り上がって形成するものであってもよい。
【００４６】
そして、この植木鉢１は、上段側壁部７と下段側壁部８の二重構造からなり、上段側壁部７は、底部５から連続する下段側壁部８の上端部より水平方向に張り出して形成される。また、上段側壁部７の上端部には開口上縁部２が形成され水平方向に張り出して取っ手が形成される。そして、この取っ手６の上面にホットスタンプにより施された装飾部３が形成される。
【００４７】
この上段側壁部７及び下段側壁部８の材質の厚さは、特に限定されるものではなく、自由に変更できるものである。
【００４８】
尚、本考案は図示例に限定されるものではなく、各部の形状、材質等は、本考案の要旨を変更しない範囲において自由に変更できるものである。
【産業上の利用可能性】
【００４９】
植木鉢において、開口上縁部２にホットスタンプより施された装飾部３を形成することによって、植木鉢の外観上美的効果を創造し人目を惹き、かつ、コスト安な植木鉢１を形成可能とする。
【符号の説明】
【００５０】
１  植木鉢
２  開口上縁部
３  装飾部
４  側壁部
５  底部
６  取っ手
７  上段側壁部
８  下段側壁部
【図１】
0003151907.tif 000003
【図２】
0003151907.tif 000004
【図３】
0003151907.tif 000005
【図４】
0003151907.tif 000006
【図５】
0003151907.tif 000007
【図６】
0003151907.tif 000008